(57)【要約】【課題】簡単な構造でストローにより飲料を飲むことができ、誤って容器を倒しても内容物がすぐに出ることがない飲料容器を提供する。【解決手段】一端部に筒状の注出口１４が形成されたペットボトルである容器本体１２と、注出口１４に圧入されて取り付けられた内蓋２２と、内蓋２２に一体に設けられ注出口１４の基端部側の端部を閉鎖する底部２６を有する。底部２６を貫通して設けられたストロー取付口２８と、底部２６を貫通して設けられた空気穴３１と、ストロー取付口２８に差し込んで取り付けられ注出口１４の基端部側の端部を閉鎖した底部２６から容器本体１２の底面１２ａの角部に斜めに達したストロー３０とを備える。内蓋２２の底部２６より外側に位置してストロー３０の一部に形成され、ストロー３０の先端部を内蓋２２内に収容可能にする伸縮部３４を備える。【選択図】　　　図１
0003098949.tif 000002
【実用新案登録請求の範囲】
【請求項１】
一端部に筒状の注出口が形成されたペットボトルである容器本体と、上記注出口に圧入されて取り付けられた内蓋と、上記内蓋に一体に設けられ上記注出口の基端部側の端部を閉鎖する底部と、上記底部を貫通して設けられたストロー取付口と、上記底部を貫通して設けられた空気穴と、上記ストロー取付口に差し込んで取り付けられ上記注出口の基端部側の端部を閉鎖した底部から上記容器本体底面の角部に斜めに達したストローと、上記内蓋の底部より外側に位置して上記ストローの一部に形成され、上記ストローの先端部を上記内蓋内に収容可能にする伸縮部とが設けられていることを特徴とする飲料容器。
【請求項２】
上記ストローの上記容器本体の底面側端部の周縁部に切欠部が形成されていることを特徴とする請求項１記載の飲料容器。
【考案の詳細な説明】
【０００１】
【考案の属する技術分野】
この考案は、飲み物を収容する飲料容器に関する。
【０００２】
【従来の技術】
従来、飲料容器であるペットボトルは、注出口に直接口をつけて内容物である飲料を飲む場合が多い。また、注出口にストローを差して飲むこともあり、ペットボトル用のストローは、ペットボトルにストローを取り付けたり、ペットボトル内にストローを収容し使用するときに一端部を突出させるものなど、様々なストローが開発されている。
【０００３】
ペットボトル内に蛇腹式のストローを収容し、キャップを外すと吸出口の外に押し出されるストローとして、実登３０３０２９６号公報に開示されているストロー及びストロー内蔵液体容器がある。これは、ストローが直管、外筒及び蛇腹管からなり、蛇腹管の上部の嵌合部が、直管の内壁に密着して結合されるものである。外筒の上部の案内部の内径は、直管の外径とほぼ同じであり、直管は案内部に案内されて軸方向に摺動する。そして、直管を下方に押すことにより蛇腹管が約３分の１の長さにまで圧縮され、キャップを外すと蛇腹管の弾力により、吸出口は開口の外に押し出されるものである。
【０００４】
【考案が解決しようとする課題】
しかしながら、実登３０３０２９６号公報の場合、ストローが直管、外筒、蛇腹管の３部材により形成され、構造が複雑であり、ストローの伸縮もスムーズでない。さらに、内蓋などは取り付けられていないため、ペットボトルを誤って倒したりすると、飲料がすぐに流れるものである。
【０００５】
この考案は上記従来の問題点に鑑みてなされたものであり、簡単な構造でストローにより飲料を飲むことができ、誤って容器を倒しても内容物がすぐに出ることがなくストローによりきれいに飲料を飲むことができる飲料容器を提供することを目的とする。
【０００６】
【課題を解決するための手段】
この考案は、一端部に筒状の注出口が形成されたペットボトルである容器本体と、上記注出口に圧入されて取り付けられた内蓋と、上記内蓋に一体に設けられ上記注出口の基端部側の端部を閉鎖する底部と、上記底部を貫通して設けられたストロー取付口と、上記底部を貫通して設けられた空気穴と、上記ストロー取付口に差し込んで取り付けられ上記注出口の基端部側の端部を閉鎖した底部から上記容器本体底面の角部に斜めに達したストローと、上記内蓋の底部より外側に位置して上記ストローの一部に形成され、上記ストローの先端部を上記内蓋内に収容可能にする伸縮部とが設けられている飲料容器である。上記ストローの上記容器本体の底面側端部の周縁部には、切欠部が形成されている。
【０００７】
この考案の飲料容器は、飲料を飲むときは、ストローの先端を引いて伸縮部を伸ばし、ストローの先端をペットボトルの注出口よりも外側に引き出して飲む。飲料を飲まないときは、ストローを押し下げて伸縮部を縮め、ストローの先端を上記ペットボトルの注出口内の内蓋内に収容し、キャップを注出口に閉める。
【０００８】
【考案の実施の形態】
以下、この考案の実施形態について図面に基づいて説明する。図１はこの考案の一実施形態を示すものであり、この実施形態の飲料容器１０は、例えばペットボトルであり、有底筒状の容器本体１２を有し、容器本体１２の端部には筒状の注出口１４が一体に形成されている。注出口１４の外側面には雄ねじ１６が形成されている。注出口１４には、キャップ１８が、着脱自在に設けられている。キャップ１８の内周面には、雌ねじ２０が形成され、注出口１４の雄ねじ１６に螺合されている。
【０００９】
注出口１４の内側には、飲料容器用アダプタ１１の合成樹脂製の内蓋２２が接着や溶着、圧入等により固定されている。内蓋２２は、注出口１４の内周面に嵌合する筒状の取付部２４が設けられている。取付部２４の、注出口１４の先端１４ａ側の端部には、注出口１４の先端１４ａに当接するフランジ部２５が側方に突出して一周に形成されている。取付部２４の、注出口１４の基端部１４ｂ側の端部には、取付部２４を閉鎖する底部２６が一体に形成されている。底部２６のほぼ中央には、後述するストロー３０が挿通され固定される透孔であるストロー取付口２８が形成されている。底部２６の、ストロー取付口２８近傍には、小さい透孔である空気穴３１が形成されている。
【００１０】
内蓋２２のストロー取付口２８には、ストロー３０が挿通され、接着や溶着、圧入等により固定され、引き抜き方向にはストロー３０が抜けないように取り付けられている。ストロー３０は、内蓋２２から下の部分は、まっすぐな筒状であり容器本体１２の底面１２ａに達する長さに形成されている。ストロー３０の容器本体１２の底面１２ａ側の周縁部には、Ｕ字形等の切欠部３２が数カ所に形成されている。ストロー３０の内蓋２２からすぐ上の部分には、蛇腹状の伸縮部３４が設けられている。ストロー３０の伸縮部３４よりも先端部分はまっすぐな筒状であり、先端部にはストロー３０を引くときの手がかりとなる大径部３６が形成されている。
【００１１】
次にこの実施形態の飲料容器１０の使用方法について説明する。飲料容器１０から飲料を飲まないときは、図１に示すようにストロー３０の伸縮部３４を縮めて内蓋２２の内側に収容する。そして容器本体１２の注出口１４にキャップ１８を取りつける。また、飲料容器１０から飲料を飲むときは、キャップ１８を外してストロー３０を引き出し、ストロー３０の伸縮部３４を伸ばす。このときストロー３０の先端は大径部３６が形成されているため、大径部３６が手がかりとなり、引き出しやすい。ストロー３０は、内蓋２２のストロー取付部２８に固定されているため、片手で容器本体１２を保持し他方の手で簡単にストロー３０を引き出すことができる。そしてストロー３０に口をつけて飲料を飲む。飲料を飲むと容器本体１２の内側は減圧になるが、空気穴３１から空気が入るため、円滑に飲みつづけることができる。ストロー３０の先端には切欠部３２が設けられ、飲料が吸い込みやすい。
【００１２】
この実施形態の飲料容器１０によれば、簡単な構造でストロー３０で容器本体１２から飲料を飲むことができる。ストロー３０はストロー取付部２８に固定されているため、ストロー３０の伸縮部３４を伸び縮みさせる操作が簡単である。ストロー３０には大径部３６が設けられているため、ストロー３０の引出しの際に手がかりとなって操作しやすく、また口当たりも良くなる。内蓋２２は、注出口１４とストロー３０に密封されて固定されているため、誤って容器本体１２を倒しても、飲料が大量に流れ出ることはなく、安全である。ストロー３０は、使用していないときは内蓋２２の内側に収容されキャップ１８で覆われるため、ごみが付着することがなく衛生的である。
【００１３】
なお、この考案の飲料容器は、上記実施形態に限定されるものではなく、例えば図４に示すように、内蓋２２の取付部２４の外側面には、ペットボトル等の容器本体１２の注出口１４の内周面に圧接して嵌合される係止突部４０が全周に形成されているものでも良い。係止突部４０は注出口１４内に挿入する方向に傾斜し引き抜き方向には食い込むような断面形状の突条である。また、この係止突部は螺旋状に形成されていても良く、適宜途中の区間で切除されて、係止突部４０が注出口１４内で弾性変形が容易になるように形成されていても良い。この場合も、フランジ部２５により、内蓋２２と注出口１４との間の隙間から内容液が漏れることはない。この係止突部４０により、飲料用アダプタ１１の容器本体１０への取り付け固定が容易となり、製造工数及びコストを大幅に削減することができる。
【００１４】
また、内蓋の形状やストローの長さ等、適宜変更可能である。ストローの伸縮部は、蛇腹式以外に簡単に長さの変更が可能な構造であれば良い。内蓋は、ペットボトルの容器本体以外にも、取付部の形状を変えることによりいろいろな飲料容器に取り付けることができる。
【００１５】
【考案の効果】
この考案の飲料容器は、簡単な構造でストローを容器本体に固定し、ストローで飲料を飲むことができる。誤って容器本体を倒しても飲料が漏れ難く、安全である。ストローは簡単に引き出したり収容したりすることができ、使用しないときはキャップに覆われているため、衛生的である。
【図面の簡単な説明】
【図１】この考案の一実施形態の飲料容器の縦断面図である。
【図２】この実施形態の飲料容器のストローを引き出した状態を示す縦断面である。
【図３】この実施形態の飲料容器の内蓋を示す平面図である。
【図４】この実施形態の飲料容器の内蓋の他の例を示す縦断面図である。
【符号の説明】
１０　飲料容器
１１　飲料容器用アダプタ
１２　容器本体
１４　注出口
１６　雄ねじ
１８　キャップ
２０　雌ねじ
２２　内蓋
２４　取付部
２６　底部
２８　ストロー取付口
３０　ストロー
３１　空気穴
３２　切欠部
３４　伸縮部
３６　大径部
【図１】
0003098949.tif 000003
【図２】
0003098949.tif 000004
【図３】
0003098949.tif 000005
【図４】
0003098949.tif 000006